(57)【特許請求の範囲】
【請求項１】
以下の構成を備えたローション供給機能付き除毛装置、
ハウジング、
ハウジングに設けた処理ヘッド、この処理ヘッドは使用者の肌に向けられて毛の切断や脱毛を行う除毛ユニットと、ローションを肌に施すアプリケータとを備える、
ローションを貯えるタンク、
上記タンクからアプリケータへローションを供給するローション供給機構、上記処理ヘッドにアクチュエータが設けられ、このアクチュエータは上記処理ヘッドが肌に対して動作状態となる事象を認識し、この事象が認識された時に上記ローション供給機構を動作させてローションをタンクからアプリケータへ供給する。
【請求項２】
上記アプリケータに上記アクチュエータが肌と接触関係となるように備えられ、このアクチュエータはハウジングに対して相対的に移動自在となり、アプリケータが肌に押し当てられた結果押し下げられた時に、上記ローション供給機構を動作させることを特徴とする請求項１に記載のローション供給機能付き除毛装置。
【請求項３】
上記アプリケータにヘッダーが設けられ、このヘッダーはタンクから供給されるローションを一時的に貯えるチャンバーを備え、
このヘッダーには上記のチャンバーと連通する少なくも１つの開口が設けられ、
上記ヘッダーには上記のアクチュエータを規定する少なくとも１つの回転要素が備えられ、この回転要素が上記開口へ回転自在に収められて使用者の肌上を転動することによりローションを使用者の肌に塗布することを特徴とする請求項２に記載のローション供給機能付き除毛装置。
【請求項４】
上記回転要素はヘッダーの内部に設けたフロートベッドに支持され、フロートベッドはヘッダーに対して回転要素と共に移動自在となり、
上記ローション供給機構にはタンクからチャンバーへの流路に形成されるストップ弁が備えられ、
上記フロートベッドは上記ストップ弁に連結されて、フロートベッドが回転要素と共に押し下げられた時のみに上記の弁を開くことを特徴とする請求項３に記載のローション供給機能付き除毛装置。
【請求項５】
上記回転要素は弾性材料でできたことを特徴とする請求項４に記載のローション供給機能付き除毛装置。
【請求項６】
上記ローション供給機構は、上記タンク内のローションに正圧を与える加圧器が備えられ、上記弁が開いた時にこの正圧の下でローションがタンクからチャンバーに供給されることを特徴とする請求項４に記載のローション供給機能付き除毛装置。
【請求項７】
上記アプリケータはヘッダーを備え、このヘッダーはハウジングに支持されタンクから供給されるローションを一時的に貯えるチャンバーを備え、
このヘッダーには使用者の肌に接触して使用されて上記のアクチュエータを規定する肌ガイドを備え、この肌ガイドは上記チャンバーと連通する少なくも１つの穴を有してローションを肌に与える、この肌ガイドは上記ヘッダーへフロート支持されてヘッダーに対して移動自在となり、
上記ローション供給機構には、上記タンクからチャンバーへの流路に形成される弁が備えられると共に上記タンク内のローションに正圧を与える加圧器が備えられ、
上記ヘッダーには、上記チャンバーとタンクとの間に設けられる弁が設けられ、この弁は肌ガイドが押し下げられたことに応じて開かれることを特徴とする請求項２に記載のローション供給機能付き除毛装置。
【請求項８】
上記肌ガイドは弾性材料でできたことを特徴とする請求項７に記載のローション供給機能付き除毛装置。
【請求項９】
上記アプリケータはハウジングへフロート支持されて、肌に押し付けられた時に押し下げられることを特徴とする請求項２に記載のローション供給機能付き除毛装置。
【請求項１０】
上記除毛ユニットは垂直軸を有し、この垂直軸に対して上端部より下端部側の幅が広くなった全体断面となり、
上記アプリケータはハウジングに対して突出位置と後退位置との間で移動自在となり、突出位置ではアプリケータの上端が除毛ユニットの上端に近接し、後退位置ではアプリケータの上端が除毛ユニットの上端から下がった状態となり、
上記アプリケータは上下軸を有し、アプリケータが突出位置の時にこの上下軸がヘッダーの垂直軸に対して第１角度で傾斜して、アプリケータの上端を除毛ユニットの上端に近接させ、アプリケータが後退位置の時にこの上下軸が第１の角度と異なる第２の角度で傾斜して、アプリケータが除毛ユニットの下端部に干渉するのと防止することを特徴とする請求項９に記載のローション供給機能付き除毛装置。
【請求項１１】
上記アプリケータ、タンク、及びローション供給機構が単一のモジュールに組み込まれ、このユニットがハウジングへ着脱自在となったことを特徴とする請求項２に記載のローション供給機能付き除毛装置。
【請求項１２】
上記ローション供給機構は上記タンクからローションを吸引してはこれをアプリケータへ送り出すポンプを備え、
上記除毛ユニットはハウジングに対してフロート支持されて肌に押し当てられた時に押し下げられるようになり、
上記アクチュエータは上記除毛ユニットに連動して除毛ユニットの押し下げを認識し、除毛ユニットが押し下げられる度にポンプを作動させてローションをアプリケータへ送り出すことを特徴とする請求項１に記載のローション供給機能付き除毛装置。
【請求項１３】
上記ローション供給機構にはタンクからアプリケータへの流路中に形成されるストップ弁が備えられると共に、上記タンク内のローションに正圧を与える加圧器が備えられ、上記弁が開いた時にこの正圧によりローションがタンクからアプリケータに供給され、
上記除毛ユニットはハウジングに対してフロート支持されて肌に押し当てられた時に押し下げられるようになり、
上記アクチュエータは上記除毛ユニットに連動して除毛ユニットの押し下げを認識し、除毛ユニットが押し下げられる度に上記弁を開くことを特徴とする請求項１に記載のローション供給機能付き除毛装置。
【請求項１４】
上記ローション供給機構は上記タンクからローションを吸引してはこれをアプリケータへ送り出す電動ポンプを備え、
上記アクチュエータは除毛ユニット近傍に突出する電気スイッチで規定され、肌に接触した時に閉じられる、
上記スイッチが肌に押し当てられる度に上記ポンプを駆動してローションをアプリケータに送り出すことを特徴とする請求項１に記載のローション供給機能付き除毛装置。
【請求項１５】
上記除毛ユニットは、除毛要素を保持するカセットを備え、このカセットはハウジングにフロート支持されてこの除毛要素が肌に押し当てられた時に押し下げられ、
上記ローション供給機構はローションを吸引してはこれをアプリケータへ送り出すポンプを備え、
上記アクチュエータは上記カセットと連動してカセットが押し下げられたことを認識し、カセットが押し下げられる度にポンプを駆動してローションをアプリケータへ送り出すことを特徴とする請求項１に記載のローション供給機能付き除毛装置。
【請求項１６】
上記除毛ユニットは使用者の肌に接触して除毛を行うための除毛要素を備え、上記アクチュエータは肌に接触するために上記除毛要素を超えて突出し、ハウジングに対して移動自在となり、肌に接した時に押し下げられ、
上記ローション供給機構はローションを吸引してはこれをアプリケータへ送り出すポンプを備え、
上記アクチュエータは上記ポンプと連動し、アクチュエータが押し下げられる度にポンプを駆動してローションをアプリケータへ送り出すことを特徴とする請求項１に記載のローション供給機能付き除毛装置。
【請求項１７】
上記除毛ユニットが一対の短毛用カッターと長毛用カッターとを備え、これらは夫々ハウジングの垂直軸に対して直交する長手方向軸を有し、長毛用カッターが短毛用カッターとの間に配置され、
上記アプリケータは長毛用カッターと短毛用カッターの少なくとも一方との間に配置されたことを特徴とする請求項１に記載のローション供給機能付き除毛装置。
【請求項１８】
上記除毛ユニットが一対の短毛用カッターと長毛用カッターとを備え、これらは夫々ハウジングの垂直軸に対して直交する長手方向軸を有し、長毛用カッターが短毛用カッターとの間に配置され、
上記アプリケータは短毛用カッターの少なくとも１方の外側で長毛用カッターから遠い位置に配置されたことを特徴とする請求項１に記載のローション供給機能付き除毛装置。
【請求項１９】
上記アプリケータはハウジングへフロート支持されてハウジングに対してハウジングの垂直軸に沿って移動自在となり、ハウジングの垂直軸に関して固定される上記タンクに対しても移動自在となり、
上記アプリケータは上記タンクと可撓性チューブを介して接続され、
この可撓性チューブによってアプリケータがタンクに対して変位可能となったことを特徴とする請求項１に記載のローション供給機能付き除毛装置。
【請求項２０】
上記可撓性チューブは半径方向に変形可能であることを特徴とする請求項１９に記載のローション供給機能付き除毛装置。
【請求項２１】
上記可撓性チューブは蛇腹であることを特徴とする請求項１９に記載のローション供給機能付き除毛装置。
【請求項２２】
上記アプリケータは、除毛ユニットの上端からアプリケータの上端が後退した下降位置でラッチされることを特徴とする請求項１９に記載のローション供給機能付き除毛装置。
【請求項２３】
上記アプリケータ、タンク、及びローション供給機構が単１のモジュールに１体化され、このモジュールがハウジングへフロート支持されて押し下げ自在となったことを特徴とする請求項１に記載のローション供給機能付き除毛装置。
【請求項２４】
上記アクチュエータはハウジングに対して、非押し下げ位置と、バイアスに抗してハウジング側に押し下げられた押し下げ位置との間で移動自在となり、
上記ローション供給機構には、上記タンクから送られるローションを一時的に貯えるポンプ室を有するポンプが設けられ、このポンプにはタンクからポンプ室へのローションの供給を許可する入り口フラップ弁及びポンプ室から上記アプリケータへのローションの送り出しを許可する出口フラップ弁が設けられ、
上記アクチュエータがポンプと連動して、アクチュエータが押し下げ位置迄に押し下げられることに応じて出口フラップ弁のみが開いてローションをポンプ室からアプリケータへ送り出し、アクチュエータが非押し下げ位置に戻ることに応じて入り口フラップ弁のみが開いてタンクからポンプ室内へローションを吸い込むことを特徴とする請求項１に記載のローション供給機能付き除毛装置。
【請求項２５】
上記ポンプ室は上記入り口フラップ弁を備える静止壁部材と上記出口フラップ弁を備える可動壁部材とによって囲まれ、この可動壁部材は静止壁部材に対して移動自在となり、
上記可動壁部材は上記アクチュエータと連動して、上記アクチュエータが押し下げ位置に移動することに応じて上記可動壁部材が上記静止壁部材側に移動する時に、ポンプ室内に正圧を発生させてローションを出口フラップ弁を介してアプリケータに送り出し、上記アクチュエータが非押し下げ位置に戻ることに応じて上記可動壁部材が上記静止壁部材側から遠ざかる時に、ポンプ室内に負圧を発生させてローションを入り口フラップ弁を介してポンプ室内に吸い込むことを特徴とする請求項２４に記載のローション供給機能付き除毛装置。
【請求項２６】
上記アプリケータに上記アクチュエータが使用者の肌に接触する肌ガイドとして設けられ、この肌ガイドに少なくとも１つの開口が設けられ、この開口が上記ポンプ室に出口フラップ弁を介して連通して、ローションを肌上に与えることを特徴とする請求項２５に記載のローション供給機能付き除毛装置。
【請求項２７】
上記の可動壁部材が使用者の肌に接触する肌ガイドとして形成され、この肌ガイドが上記アクチュエータ及びアプリケータを規定し、
この肌ガイドには上記出口フラップ弁の周りにこの弁が使用者の肌と干渉するのを防ぐ突起が設けられたことを特徴とする請求項２５に記載のローション供給機能付き除毛装置。
【請求項２８】
上記ローション供給機構は上記タンクからポンプに至る流路に形成したストップ弁を備え、
上記アクチュエータはこのストップ弁と連動して上記アクチュエータが押し下げられた時のみこのストップ弁を開くことを特徴とする請求項２４に記載のローション供給機能付き除毛装置。
【請求項２９】
上記アプリケータに、ハウジングに固定されてタンクから供給されるローションを一時的に蓄えるヘッダーが備えられ、
このアプリケータには少なくとも一つのローション吐出パイプがもうけられ、このパイプが除毛ユニットの上端に突出するとともに、ヘッダーに対してフロート支持されて除毛ユニットとともに押し下げ自在となり、
上記ローション供給機構は上記タンクからヘッダーに至る流路に形成したストップ弁を備えると共に、タンク内のローションに正圧を与えてローションをタンクからヘッダーへ供給させるために加圧器が備えられ、
上記ストップ弁は除毛ユニットと連動し、除毛ユニットが押し下げられた時のみに開かれることを特徴とする請求項１に記載のローション供給機能付き除毛装置。
【請求項３０】
上記アプリケータには、複数の上記ローション吐出パイプを着脱自在に保持するバーが設けられ、このバーは除毛ユニットの上端に突出して使用者の肌に接触可能となると共に除毛ユニットに組み込まれてこれと共に移動自在となったことを特徴とする請求項２９に記載のローション供給機能付き除毛装置。
【請求項３１】
上記バーは上記ストップ弁と連動し、バーが押し下げられたときにストップ弁を開くことを特徴とする請求項３０に記載のローション供給機能付き除毛装置。
【発明の詳細な説明】
【０００１】
【発明の属する技術分野】
本発明は、ローション塗布器を備えた除毛装置、更に詳しくは、毛肌の手入れを簡易に行えるようにローションを与えることが出来る個人用除毛装置に関するものである。
【０００２】
【従来の技術】
特表２０００−５０００５５号公報や実開昭５９−１０８５７４には、髭剃りを容易にするためにローションを施すことができる携帯用かみそりが開示されている。このかみそりはポンプを備えており、ボタンやスイッチの操作によってポンプを動作させることで、髭剃りが行われる部位にローションを施すようになっている。ボタンやスイッチはかみそりハウジングに設けられていてハウジングを掴む使用者の指によって操作されるものであるため、ローションを使用する毎に使用者がボタンやスイッチを操作することが必要である。しかしながら、通常の髭剃りはかみそりを肌上を断続させること、すなわち、一所から他所へかみそりを肌から離してはこれを移動させることが必要となっている。このため、使用者は髭剃りを終えるまでに何度かポンプをオン・オフさせ無ければならず、そうしなければ、ポンプが連続して動作して無駄にローションを消費してしまうものである。
【０００３】
【発明が解決しようとする課題】
このため、従来の装置では使い勝手が悪く、無駄にローションを消費することがあり、効率が悪いという問題点があった。
【０００４】
本発明は、上記の問題点に鑑みて発明したものであって、その目的とするところは、別段のスイッチング操作を必要とせずに、除毛処理に付随させて所望の部位にローションを適切に施す事が出来る除毛装置を提供することである。
【０００５】
【課題を解決するための手段】
本発明に係る除毛装置は、使用者の肌に向けられる処理ヘッドを備えたハウジングを有する。この処理ヘッドは毛の切断や脱毛を行う除毛ユニットと、ローションを使用者の肌に施すアプリケータとを備える。ローション供給機構によってタンクからアプリケータへローションが供給される。この処理ヘッドには、アクチュエータが設けられ、このアクチュエータは処理ヘッドが肌に対して動作状態となる事象を認識し、この事象が認識された時にローション供給機構を動作させてローションをタンクからアプリケータへ供給する。
【０００６】
このため、使用者が余分なそして面倒なスイッチング操作を行わずとも、除毛が行われる肌に対してアプリケータによってローションを施すことが出来る。すなわち、使用者はローションの補助を受けた除毛処理を、スイッチやハンドル操作に煩わされずに、楽しむことができる。
【０００７】
好ましくは、アクチュエータは肌と接触するような形でアプリケータに備えられ、ハウジングに対して移動自在となることで、使用者の肌に対してアプリケータが押さえつけられることに伴ってアクチュエータが押し下げられることで、ローション供給機構を動作させることが望ましい。この構成によれば、使用者はアプリケータを肌に押さえつけるだけでローションを施すことができるものであり、アクチュエータの存在を意識することなく、除毛処理の間にローションを適切に施すことが出来るものである。
【０００８】
アプリケータには、タンクから供給されるローションを一時的に貯えるチャンバーを有するヘッダーを備えることが出来る。このヘッダーにはこのチャンバーに連通する少なくとも一つの開口が設けられ、この開口にボールやローラのような回転要素が備えられる。この回転要素は開口内で回転自在となって使用者の肌に対して転動接触することで、肌に対してローションを施すものである。このため、回転要素によってローションを肌へ滑らかに与えることが容易となる。
【０００９】
この回転要素はフロートベッドに支持されて、ヘッダー内でフロートベッドと共に移動自在とすることが出来る。この場合、タンクからチャンバーへの流路内に形成するストップ弁がローション供給機構に設けられ、フロートベッドがこのストップ弁に連動して、フロートベッドが回転要素と共に押し下げられた時のみにストップ弁を開く。この方式によると、回転要素が押し下げられた時だけローションが供給されることになり、回転要素、すなわちアクチュエータが使用者の肌から離された時には、ローションの供給を停止することができるものであり、装置を使用者の肌から離した時には別段の行動を使用者に強いることなくローションの供給を防止できる。この回転要素は、使用者の肌に柔らかく滑らかに接触するように弾性材料で形成することができる。
【００１０】
ローションをタンクからチャンバーへ効率よく供給するために、タンク内のローションへ正圧を加えるための加圧器がローション供給機構に備えられることが好ましい。この加圧器により、ストップ弁が開いた時にローションが正圧を受けてチャンバーへ送られることになる。
【００１１】
アクチュエータとして、使用者の肌に接触するように使用される肌ガイドを、回転要素の替わりに、アプリケータのヘッダーに設けるようにしてもよい。この肌ガイドにはチャンバーに連通する少なくとも一つの開口が備えられてローションを肌に施す。この肌ガイドはヘッダーへフロート支持されてヘッダーに対して移動自在となると共にストップ弁と連動し、肌ガイドが肌に押し付けられることに伴って押し下げられた時のみ、ストップ弁を開くようになっている。この肌ガイドもまた弾性材料で形成されても良い。
【００１２】
また、アプリケータ自身がハウジングに対してフロート支持されて使用者の肌に押し付けられた時に押し下げられるようにしても良い。このようにすることで、アプリケータが使用者の肌面形状に沿って容易に追従することが出来、処理ヘッドを肌上で移動させる間に、ローションをうまく塗布することが出来る利点が得られる。
【００１３】
除毛ユニットの全体断面形状が上端から下端側に向けてこのユニットの垂直軸に沿って次第に幅広となるように形成されている場合は、除毛ユニットにアプリケータが近接状態を保ったまま、除毛ユニットに干渉しないようにアプリケータを設計することができる。アプリケータは、アプリケータの上端が除毛ユニットの上端に対して近接する突出位置と、アプリケータの上端が除毛ユニットの上端より下降した後退位置との間で、ハウジングに対して移動自在であり、アプリケータの上下軸に沿って、アプリケータがハウジングに対して移動する。アプリケータが突出位置にある時、アプリケータの上下軸は除毛ユニットの垂直軸に対して第１の角度で傾斜してその上端を除毛ユニットの上端に近接させる。アプリケータが後退位置にある時は、アプリケータの上下軸が第１の角度と異なる第２の角度で除毛ユニットの垂直軸に対して傾斜して除毛ユニットの下端にアプリケータが干渉するのを防止する。
【００１４】
好ましい実施形態においては、ハウジングに着脱自在となった単一のモジュールへ、アプリケータ、タンク、及びローション供給機構が一体化される。このため、ローションの再充填やアプリケータの洗浄が容易に行える。この単一のモジュールはハウジングに対してフロート支持されても良い。
【００１５】
更に、ローション供給機構には、電動ポンプを設けてタンクからローションを吸引してはこれをアプリケータに送り出すようにしても良い。この場合、アクチュエータは除毛ユニットに近接して突出する電気スイッチで構成され、使用者の肌に接触した時に閉じられる。このため、スイッチが抑えられた時に、ポンプが作動してローションをアプリケータに送出してこれを肌上に施すことが出来る。
【００１６】
切断用のフォイル刃のような除毛要素を保持するカセットが除毛ユニットに備えられ、このカセットがハウジングに対してフロート支持されることで、除毛要素が肌に押し付けられることに伴ってカセットが押し下げ自在となった場合は、このカセットにアクチュエータが連動して、カセットが押し下げられる毎にポンプを動作させる。このため、除毛ユニットを肌に押し付けるだけで、ローションを肌上に施すことが出来るようになり、ローション供給機構を意識することなく、毛肌の手入れを簡単に行うことが出来るようになる。
【００１７】
また、本装置には別形式のアクチュエータを使用することができる。このアクチュエータは除毛要素の上に突出して使用者の肌に接触可能となると共に、ハウジングに対して移動自在となることで、肌に接触した時に押し下げられる。このアクチュエータは押し下げられる毎にポンプを駆動してローションをアプリケータに送り出すように連動されるもので、この結果、除毛ユニットを使用者の肌に押し付けるだけでローションを塗布することが出来るものである。
【００１８】
除毛ユニットは、ハウジングの垂直軸に直交する長手方向軸を夫々有する一対の短毛用カッターと長毛用カッターとを保持するように形成することができる。長毛用カッターは短毛用カッターの間に互いの長手方向軸を平行として配置される。この種の除毛ユニットについては、長毛用カッターと少なくとも一つの短毛用カッターとの間にアプリケータを配置するか、或いは、少なくとも一つの短毛用カッターの外側で長毛用カッターと離れた所にアプリケータを配置して、肌に対して効果的にローションを施すことができる。
【００１９】
好ましい実施形態においては、アプリケータがハウジングに対してフロート支持されることで、ハウジングの垂直軸に沿ってハウジング及びこの垂直軸に関してハウジングに固定されたタンクに対して移動自在となっており、このタンクへアプリケータが可撓性チューブで結合されてタンクからローションの供給を受ける。この可撓性チューブによってアプリケータがタンクに対して変位することが可能となるものであり、この可撓性チューブは半径方向に変形するようにしたり、蛇腹形状としてもよい。
【００２０】
更に、アプリケータは、その上端が除毛ユニットの上端より後退した下降位置でラッチされるようにしてもよい。こうすることで、ローションを使用しない場合は、アプリケータを除毛ユニットから遠ざけて除毛処理に邪魔にならない位置に保持することが出来る。
【００２１】
上記のローション供給機構には、タンクから送られるローションを一時的に貯えるポンプ室を有するポンプが備えられるようにしても良い。このポンプにはタンクからポンプ室へのローションの供給を許可する入り口フラップ弁及びポンプ室からアプリケータへのローションの送り出しを許可する出口フラップ弁が設けられる。アクチュエータは、バイアス力に抗して押し下げ位置に移動した時に、ポンプに連動して出口フラップ弁のみが開いてローションをポンプ室からアプリケータへ送り出し、アクチュエータが非押し下げ位置へバイアス力によって復帰すると、入り口フラップ弁のみが開いてタンクからポンプ室内へローションを吸い込む。このため、アクチュエータが肌に押し付けられることと肌から離されることに応じて、ポンプが動作してローションをタンクから吸い上げてはこれをアプリケータに送出することを繰り返すものであり、処理ヘッドの運動に同期してローションを塗布することができる。
【００２２】
この場合、入り口フラップ弁を備える静止壁部材と出口フラップ弁を備える可動壁部材とでポンプ室が包囲されたポンプが望ましい。この可動壁部材は静止壁部材に対して移動自在となってポンプ室の容積を可変とする。この可動壁部材はアクチュエータと連動し、アクチュエータが押し下げ位置に移動することに応じて可動壁部材が静止壁部材側に移動する時に、ポンプ室内に正圧を発生させてローションを出口フラップ弁を介してアプリケータに送り出し、アクチュエータが非押し下げ位置に戻ることに応じて可動壁部材が静止壁部材側から遠ざかる時に、ポンプ室内に負圧を発生させてローションを入り口フラップ弁を介してポンプ室内に吸い込む。このように、アクチュエータを肌に押し付け、肌から離すことだけで、別途の駆動源をポンプに用いることなく、ローションの供給が行える。
【００２３】
また、可動壁部材自体でアクチュエータ並びに出口フラップ弁を備えるアプリケータを規定する肌ガイドを構成することができる。この肌ガイドには出口フラップ弁の周りを囲む突起が設けられて、出口フラップ弁が使用者の肌に当たるのを防止する。このような構成のポンプに対するローション供給機構には、タンクからポンプへの流路にストップ弁を含めることも可能である。このストップ弁はアクチュエータ、すなわち、肌ガイドに連動し、突起が肌に押し当てられことに応じて肌ガイドが押し下げられた時のみ、ストップ弁が開くものであり、必要時以外にローションが供給されることが無い安全策を講じることができる。
【００２４】
更に、アプリケータには、タンクから供給されるローションを一時的に貯えるヘッダーと、除毛ユニットの上端に突出する少なくとも一つのローション吐出パイプを備えるようにしてもよい。この吐出パイプはヘッダーへフロート支持されて除毛ユニットと共に押し下げ可能となる。この形態では、タンクからヘッダーへの流路に設けたストップ弁と、タンク内のローションへ正圧を与えてヘッダーへローションを供給するための加圧器がローション供給機構に備えられる。このストップ弁は除毛ユニットに連動し、除毛ユニットが押し下げられた時にのみ開かれるものであり、このため、除毛ユニットが押し下げられたことに同期してタンクから供給されたローションが除毛ヘッドと共に押し下げられた吐出パイプを経て吐出される。
【００２５】
この場合、アプリケータには、除毛ユニット内に組み込まれて使用者の肌に接触するように除毛ユニットの上端に露出するバーを備えるようにしてもよい。このバーは複数のローション吐出パイプを着脱自在に保持して、アクチュエータすなわち肌ガイドとして用いられ、このバーが肌に押し付けられた時にストップ弁を開けるように動作する。
【００２６】
上述した本発明の目的及び利点及びその他の目的及び利点は、添付する図面を参照して説明する以下の実施形態から明白である。
【００２７】
【発明の実施の形態】
第１の実施形態＜図１〜図１０＞
図１は、本発明の第１の実施形態に係る除毛装置の典型的な例としての電気かみそりを示す。このかみそりは、使用者の手で把持されるハウジング１０と、ハウジング上端に突出する処理ヘッド２０とで構成され、処理ヘッド２０は、かみそりユニット、すなわち除毛ユニット３０及び使用者の肌にローションを施すアプリケータ１１０を備える。除毛ユニット３０は、３つの毛切断部材、すなわち、一対の短毛用カッター４０とこれらの間に配置される長毛用カッター５０とを有する。短毛用カッター４０はＵ字形の外刃フォイル４１とこれに対して往復駆動される内刃４２とで構成され、長毛用カッター５０は細長の外刃５１とこれに対して往復駆動される内刃５２とで構成される。外刃フォイル４１及び長毛用カッター５０はトップフレーム６０へフロート支持され、トップフレームはハウジング１０の上端に保持されるベースフレーム７０へ着脱自在に支持される。ハウジング１０には電動モータ（図示せず）が内蔵されて駆動素子１１を往復駆動するものであり、駆動素子に内刃４２、５２が結合されている。内刃４２は付勢ばね１２によって上方にばね付勢されることで、短毛用カッター４０は肌に押し当てられた時に押し下げられるようになっている。長毛用カッター５０はトップフレーム６０に設けた同様のばねによってばね付勢されてトップフレーム、すなわちハウジングに対して押し下げ可能となっている。スイッチハンドル１４がハウジング１０側面に設けられてモータを作動させて内刃を往復駆動してかみそりを行う。
【００２８】
ハウジング１０の正面にはローション送出モジュール１００が設けられ、このモジュールには、短毛用カッター４０に近接配置されて使用者の肌にローションを施すためのアプリケータ１１０が設けられる。アプリケータ１１０は、図１に示すように、かみそりユニット３０に近接する突出位置と、図２に示すように、かみそりユニット３０から離れた後退位置との間で移動自在となる。アプリケータ１１０はモジュール１００へ、すなわちこのモジュールを介してハウジング１０へフロート支持され、ばね付勢に抗して、突出位置から後退位置へ押し下げ可能となって、かみそりを肌上で移動させる間に肌の形状に容易に追随することができる。
【００２９】
図３に示すように、モジュール１００には覆い体１０１が備えられ、この覆い体１０１に、アプリケータ１１０を保持するホルダー１３０、ローションを貯える可撓性のタンク１４０、このタンクを加圧する板状の加圧器１５０とが設けられる。タンク１４０の口１４１にはフック１４９が設けられ、このフック１４９を覆い体１０１の凹所１０９へ係合させることでタンクが覆い体１０１に取り付けられる。このように、モジュール１００は単一の構造体として形成されてハウジング１０へ着脱自在に結合される。加圧器１５０の可鍛にはピボットピン１５２が設けられ、これが覆い体１０１下端の対応する穴１０２に収められ、図１及び図２に示すように、ハウジング１０と密着するように加圧器の背面に設けた板バネ１５４によって加圧器１５０がタンク１４０へ押し当てられる。このモジュール１００をハウジング１０から取り外せば、加圧器１５０を覆い体１０１から取り外すことができて、ローションの再充填やタンク自体の取り替えを行うことが出来る。
【００３０】
図４〜図６に示すように、覆い体１０１はやや軟質のプラスチック材料で成型されていて、両側端縁１０４をハウジング１０の正面に形成したレール１４の内側に収めることで、突出位置と後退位置との間で、ハウジング１０に対して上下方向にスライド自在となる。覆い体１０１の一方の側縁には、可撓的に変形可能なボタン１０６が形成され、このボタンには側端縁１０４及びラッチ１０７が備えられる。ラッチ１０７はハウジング１０のレール１４に形成した凹所１０４の一つへ選択的にロックされることで、モジュール１００が突出位置と後退位置とのいずれにもラッチされる。図６（ａ）及び図６（ｂ）に示すように、ボタン１０６が内側に抑えられると、弾性的に変形してラッチ１０７が凹所１７から外れると共に側端縁１０４がレール１４から外れて、開くことが出来てハウジング１０から取り外すことが出来る。
【００３１】
図３を参照すれば、ホルダー１３０はアプリケータ１１０をホルダーに対して移動自在に支持しており、アプリケータ１１０が図１に示すように最上端位置にある時に、アプリケータ１１０がその上端の吐出端を短毛用カッター４０に密接する形に配向される。アプリケータ１１０が押し下げられれば、アプリケータは真っ直ぐに近づき、ハウジング１０及びかみそりユニット３０の垂直軸に沿って断面形状が上端から下端に向けて幅広となる短毛用カッター４０と干渉することがなくなる。また、図２に示されるように、モジュール１１０が下げられることに伴ってアプリケータ１１０が後退位置に移動すると、アプリケータ１１０が真っ直ぐに保持されて、ベースフレーム７０と干渉することが無くなる。このため、ホルダー１３０には一対のヨーク１３１が備えられ、ヨークに設けたスリット１３２は垂直軸に対して傾斜してアプリケータ１１０の水平ピン１１２が遊嵌しており、アプリケータ１１０が最上端位置の時は、アプリケータの上下軸が垂直軸に対してある角度で傾斜してアプリケータ１１０の上端を隣接するかみそりユニット３０、すなわち短毛用カッター４０に近接させる。アプリケータ１１０をかみそりユニットに対して傾斜させた状態を維持するために、覆い体１０１にはアプリケータ１１０を押圧する板バネ１０３が設けられる。ホルダー１３０とアプリケータ１１０との間にはコイルバネ１３３が配置されて、アプリケータを上方に付勢してこれをフロート支持する。ホルダー１３０は覆い体１０１の内面に形成した肩部１０５によって覆い体１０１に保持される。アプリケータ１１０をコイルバネ１３３に抗して押し下げると、ピン１１２がスリット１３２に沿ってガイドされてアプリケータの姿勢を変化させる、すなわち、図８（ｂ）の点線で示すように、アプリケータの上下軸をハウジング１０の垂直軸に対して平行に近くなるようにする。
【００３２】
図７や図８に示すように、アプリケータ１１０には、タンク１４０から供給されるローションを一時的に貯えるチャンバー１１３を有するヘッダー１１１が備えられる。詳しくは、ヘッダー１１１は底面壁１１４、側壁１１６及び上面壁１１８を備えた中空ケースの形状を呈し、チャンバー内で上下に移動自在で底面壁１１４へコイルバネ１２１によってフロート支持されるフロートベッド１２０を備える。上面壁１１８に設けた開口１１９には夫々回転要素すなわちボール１２４が夫々収められ、アプリケータを肌に当てた時に、ボール１２４が肌に対して転動接触するようになっている。開口１１９はチャンバー１１３へ直接又はフロートベッド１２０内のライザー流路１２３を介して連通しており、ボールが肌上を転動する間、ローションが開口１１９とボール１２４との隙間から吐出されて、肌上にローションが施される。ボール１２４はフロートベッド１２０上に支持されて、アプリケータを肌に押し当てることに伴って、図８（ａ）に示すように、ボールがフロートベッドと共にばね１２１に抗して押し下げられる。ボール１２４はフロートベッド１２０上の浅い凹所１２２に収められ、ばね１２１によって上方に付勢された時には開口１１９の狭くなった開口縁によって開口内に保持される。底面壁１１４から一体に突出するスリーブ１１５及び、このスリーブ１１５とタンク１４０の口１４１へ両端がシール結合した可撓性チューブ１３４を介してチャンバー１１３がタンク１４０へ連通している。フロートベッド１２０から下方に突出する脚１２６がスリーブ１１５内に延出し、脚１２６の下端にはスリーブ１１５下端の開放端にシール接触するストップ弁１２８が設けられ、タンク１４０からのローションの供給路は通常、図７（ａ）に示すように、閉じられている。このストップ弁１２８は、図８（ａ）に示すように、フロートベッド１２０がボール１２４と共に押し下げられた時にのみ、開かれる。従って、タンク１４０内で加圧されたローションは、ボール１２４が押し下げられたことに応じてアプリケータ１１０へ供給される。この意味において、ストップ弁１２８は加圧器１５０とでローションをタンク１４０からアプリケータ１１０へ供給するためのローション供給機構を規定し、一方、ボール１２４はタンク１４０からローション供給機構を動作させてローションをアプリケータ１１０へ供給してローションを肌に与えるためのアクチュエータを規定する。ここにおいて、アプリケータ１１０はかみそりユニット３０に密接配置されていることから、かみそりユニット３０がかみそりのための動作位置となった時に、ボール１２４にて実現されたアクチュエータが動作、すなわち、押し下げられることになり、アプリケータを使用者の肌に押し付ける事以外に、余分なスイッチング操作を必要とせずに、かみそりに関連させて容易にローションを肌へ与えることができる。図９及び図１０は、ヘッダー１１１の一変更例を示すもので、図７と図８のヘッダーとは、ライザー流路１２３がばね１２１とずらされてヘッダーの高さを低くしたこと以外は同一である。このため、同一の部材には同一の番号を付している。図９（ａ）（ｂ）はボール１２４とフロートベッド１２０とが押し下げられておらずストップ弁１２８が閉じられた状態を示し、図１０（ａ）（ｂ）はボール１２４とフロートベッド１２０とが共に押し下げられてストップ弁１２８が開かれた状態を示す。
【００３３】
チューブは伸縮性を有するため、図８（ａ）の矢印にて示すように、半径方向に変形することで、タンク１４０に対するアプリケータ１１０の相対移動が吸収できる。尚、図８（ａ）、図１０（ａ）、１０（ｂ）に示すように、ボール１２４がフロートベッド１２０と共に押し下げられると、ボール１２４は自由に回転することができて肌に対して円滑に転動できて、ローションを効果的に与えることが出来る。この場合は、加圧されたローションはライザー流路１２３を通して上面壁１１８と下降したフロートベッド１２０との間の広くなった間隙Ｃに供給され、ここからボール１２４の作用によって肌に送り出される。図１１に示すように、アプリケータ１１０はタンク１４０と蛇腹状のチューブ１３４で接続されても良い。
【００３４】
図１２（ａ）（ｂ）に示すように、アプリケータ１１０Ａにボールの替わりとしてローラ１２４Ａを用いるようにしても良い。この変更例においては、ローラ１２４がフロートベッド１２０Ａへ丸突起１２７によって支持されて水平軸の回りで回転自在となって使用者の肌に転動接触する。同様の部材は同様の番号に「Ａ」なる字を添えて示す。ボール１２４やローラ１２４は弾性材料で成型されて使用者の肌に対して優しく接触するようにしても良い。
【００３５】
図１３（ａ）（ｂ）に示すように、アプリケータ１１０Ｂには、上の実施形態で説明されたフロートベッドの一変更例として肌ガイド１２０Ｂを備えるようにしても良い。この肌ガイド１２０Ｂは、弾性材料で成型され、上端をヘッダー１１１Ｂの上面壁１１８Ｂから突出させて使用者の肌に接触可能としており、下端が底面壁１１４Ｂと離間してこの間にタンクから供給されるローションを一時的に貯えるチャンバー１１３Ｂを形成する。この肌ガイド１２０Ｂにはチャンバー１１３Ｂからローションを肌に送り出すための開口１２９が設けられる。肌ガイド１２０Ｂにはまた同様のストップ弁１２８Ｂが設けられて、タンクからチャンバーへの流路を開閉する。この肌ガイド１２０Ｂはコイルバネ１２１Ｂにて上方にばね付勢され、押し下げ可能となっている。使用者の肌に接触して肌ガイド１２０Ｂが押し下げられると、ストップ弁１２８Ｂが開いてタンクからチャンバー１１３Ｂへローションが供給され、このローションを開口１２９を通して肌に送り出す。この変更例においては、肌ガイド１２０Ｂが肌への接触を感知して、ストップ弁を開いてローションを送り出すためのアクチュエータを規定するものである。同様の部材は同様の番号に「Ｂ」なる字を添えて示す。
【００３６】
図１４〜図１６は、上記の装置の一変更例を示すもので、上記実施例と実質的に同一であり、ローション送出モジュール１００Ｃがそれ自体ハウジング１０Ｃに対して、モジュール１００Ｃ下端とハウジングの底部フランジ１６との間に介在させたコイルバネ１０８によって、フロート支持された点が異なる。これにより、モジュールは図１４に示す突出位置と図１５に示す後退位置との間で上下移動自在となり、いずれの位置でもラッチ可能とされる。同様の部材は同様の番号に「Ｃ」なる字を添えて示す。
【００３７】
図１７と図１８は、上記の装置の一変更例を示すもので、上記変更例と実質的に同一であり、ローション送出モジュール１００Ｄをフロート支持するためのばね１０８Ｄを隠蔽するためのマスク１０５をモジュールの覆い体１０１Ｄに形成した点が異なる。同様の部材は同様の番号に「Ｄ」なる字を添えて示す
上述の実施例では、除毛ユニットとしてかみそりユニット３０を有する装置を示したが、本発明はこれのみに限定されるものではなく、図１９や図２０に示すように、脱毛ユニット３０Ｅを備えた装置に等しく適用できるものである。脱毛ユニット３０Ｅはハウジング１０Ｅの上端に装着され、上記の実施例と同一構成のアプリケータ１１０Ｅと共同して処理ヘッド２０Ｅを構成する。この脱毛ユニット３０Ｅは毛の挟み付け要素を有する脱毛シリンダ３１Ｅを備え、脱毛シリンダ３０Ｅが水平軸の回りで振動または回転することにより毛を挟み付けてはこれを使用者の肌から引き抜くことを繰り返す。アプリケータ１１０Ｅはハウジングの同じ側に設けた脱毛ユニット３０Ｅに密接するように配置され、脱毛ユニットが使用者の肌に対して動作状態となった時に、アプリケータからローションを送り出すようになっている。
【００３８】
第２の実施形態＜図２１＞
図２１は、本発明の装置に使用される別構成のアプリケータを示す。本実施例に係るアプリケータ１１０Ｆにはポンプ１６０が備えられ、タンクからローションを引き込んではこれをアプリケータ１１０Ｆのチャンバー１１３Ｆに送り出し、ここからローションを使用者の肌に与えるようになっている。この目的のため、アプリケータ１１０Ｆのヘッダー１１１Ｆでは、フロートベッド１２０Ｆが底面壁１１４Ｆと共同してポンプ１６０を形成し、このポンプのポンプ室１６１が入り口フラップ弁１６２を介してタンクと連通し、出口フラップ弁１６４を介してチャンバー１１３Ｆに連通している。この意味において、ポンプ１６０はタンクからアプリケータへローションを供給するためのローション供給機構の一要素として規定される。フロートベッド１２０Ｆは、底面壁１１４Ｆへコイルバネ１２１Ｆを介してフロート支持され、ポンプ室の容積を可変としながら底面壁に対して移動自在となる。フロートベッド１２０Ｆには肌ガイド１２５が固定され、この肌ガイド１２５はヘッダー上に突出して使用者の肌に接触可能となると共に、チャンバー１１３Ｆに連通する開口１２９Ｆを備える。このため、本実施例においては、アプリケータ１１０Ｆが肌に対して押し付けられ、肌から離されることに同期して、ローション供給機構、すなわちポンプ１６０を動作させるためのアクチュエータが、肌ガイド１２５によって規定される。
【００３９】
肌ガイド１２５が肌に押し付けられて押し下げられると、図２１（ｂ）に示すように、フロートベッド１２０Ｆが下降してポンプ室１６１の容積を減少させ、ポンプ室内に正圧を発生させ、出口フラップ弁１６４を開いて、ポンプ室１６１からローションを送り出し、開口１２９Ｆを介して使用者の肌にローションを与える。一方、肌ガイド１２５が使用者の肌から離されてばね１２１Ｆの付勢力によって、図２１（ａ）に示すように、復帰した時は、フロートベッド１２０Ｆが上昇してポンプ室の容積を増大させて負圧を発生させ、これによって出口フラップ弁１６４を閉じると共に入り口フラップ弁１６２を開いて、タンクからポンプ室１６１へローションを取り込む。このようにして、肌ガイドが肌に押し付けられては離されることに応じて、ポンプ１６０が動作してローションを肌に与えては、タンクからローションを取り込むものである。この意味において、ローション供給機構には、上記の実施例で採用されたタンク内のローションを加圧する加圧器やストップ弁を用いずにすませることが出来、それにも拘わらずローションを効果的に肌に与えることが出来る。このような構成のアプリケータ１１０Ｆは、第１の実施形態で行われたように、同様のホルダー１３０Ｆに対してコイルバネ１３３Ｆによってフロート支持される。
【００４０】
図２２（ａ）（ｂ）は、上述の実施形態と比べて、アプリケータ１１０Ｇのヘッダー１１１Ｇによって肌ガイド及びタンクからローションをアプリケータへ引き込む同様のポンプ１６０Ｇが規定されることが異なるアプリケータの変更例を示す。ヘッダー１１１Ｇは可撓的に変形可能な上面壁１１８Ｇを備え、これが肌ガイドを構成すると共に底面壁１１４Ｇとの間でポンプ室１６１Ｇを形成する。底面壁１１４Ｇには入り口フラップ弁１６２Ｇが設けられ、肌ガイド１１８Ｇの外面に出口フラップ弁１６４Ｇとこのフラップ弁を包囲して肌に直接フラップ弁が触れるのを防止する環状突起１６５が設けられる。肌ガイド１１８Ｇが、図２２（ａ）に示されるように、押し下げられると、ポンプ室１６１Ｇの容積が減少して出口フラップ弁１６４Ｇを開き、ポンプ室内に供給されていたローションを送り出す。肌ガイド１１８Ｇが肌から離されると、図２２（ｂ）に示す位置に、肌ガイドが復帰してポンプ室の容積を増大させ、入り口フラップ弁１６２Ｇを開いてタンクからローションを取り込む。この意味において、アプリケータ１１０Ｇ上端の肌ガイド１１８Ｇは、アプリケータが肌に押し当てられては離される度にポンプを作動させるアクチュエータを構成して、第２の実施形態と同様に効果的にローションを与えることが出来る。同様の部材には同様の番号に「Ｇ」なる字を添えて示す。
【００４１】
第３の実施形態＜図２３〜２５＞
図２３〜図２５に、本発明の第３の実施形態に係る除毛装置を示す。この装置は基本的に第１の実施形態と同一であるが、アプリケータ１１０Ｈがかみそりユニット３０Ｈに組み込まれた点、及びダイアフラムポンプ１６０Ｈがかみそりユニット３０Ｈの直下方に配置された点が異なる。このため、かみそりユニット３０Ｈが処理ヘッド２０Ｈの外観を与える。  かみそりユニット３０Ｈの構造及び動作は第１の実施形態と同様であり、重複した説明は控える。同様の部材は同様の番号に「Ｈ」なる文字を添えて示す。ポンプ１６０Ｈはハウジング１０Ｈの上端に配備され、ポンプの取り込み口が柔軟チューブ１３４Ｈによってタンク１４０Ｈに連結され、取り出し口は垂直に突出するダクト１６６に連結される。ポンプ１６０Ｈはレバー１７２を備えたダイアフラム１７０を有し、短毛用カッター４０Ｈや長毛用カッター５０Ｈを保持するカセット４４に対してこのレバー１７２が当接可能となっている。短毛用カッター４０Ｈや長毛用カッター５０Ｈ、すなわち、かみそりユニット３０Ｈが使用者の肌に押し付けられたことに起因して、図２３（ｂ）に示すように、カセット４４が押し下げられると、カセット４４がレバー１７２を押してダイアフラム１７０を変形させ、出口弁１６４Ｈを開いてポンプ内のローションを送り出す。  また、かみそりユニット３０Ｈが使用者の肌から離されることでカセット４４がばね付勢力によって上方に戻ると、図２３（ａ）に示すように、ダイアフラム１７０は自身が有する弾性復帰力によって復帰し、入り口弁１６２Ｈを開いて、タンクからローションを取り入れる。この意味において、かみそりユニット３０Ｈが使用者の肌に対して動作関係となったことを判断してポンプを動作させるアクチュエータをかみそりユニット３０Ｈ自体が構成するものである。
【００４２】
アプリケータ１１０Ｈはローション吐出パイプ１８０を備え、この吐出パイプ１８０がダクト１６６へばね１８１を介してフロート支持され、パイプの上端が、図２５に示すように、長毛用カッター５０Ｈと短毛用カッター４０Ｈの一方との間に露出する。パイプの上端は通常かみそりユニット３０Ｈの上端と同じ高さとなり、短毛用カッター４０Ｈや長毛用カッター５０Ｈと共に押し下げ可能となっている。このため、かみそりユニットが使用者の肌に押し付けられることに同期して、ローションがパイプ１８０から吐出される。図２４に示すように、タンク１４０Ｈはハウジング１０Ｈへ着脱自在の覆い体１０１Ｈに備えられて、タンクの交換やローションの再充填が可能となっている。タンク１４０Ｈはばね１５４Ｈを備えた加圧器１５０Ｈによって圧縮されて、タンクからポンプへローションを供給する上での追加の力を与える。
【００４３】
図２６は上の実施形態の一変更例を示すもので、かみそりユニットでのカセットの動きを用いる替わりに、ダイアフラムからかみそりユニット３０Ｊを通して上方に突出するプランジャ１７４を使用して、ポンプ１６０Ｊを動作させるようにしている。同様の部材には同様の番号に「Ｊ」なる字を添えて示す。図２３〜図２６で示す実施形態や変更例においては、一本のローション吐出パイプを用いた例を示したが、図２７や図２８に示すように多数のローション吐出パイプを用いることも可能であり、パイプは短毛用カッター４０と長毛用カッター５０との間に配置したり、短毛用カッター４０の外側で長毛用カッター５０から離れた所に配置することが出来る。この場合、ダクト１６６は多数のパイプをフロート支持するようにマニホールド形状とする。
【００４４】
図２９は他の変更例を示すもので、短毛用カッター４０Ｋの外刃フォイルや長毛用カッター５０Ｋを保持するトップフレーム６０Ｋがベースフレーム５０Ｋに対してばね７１にてフロート支持されている。従って、この変更例においては、トップフレーム６０Ｋがハウジング１０Ｋに対して下方へ移動したことに応じて、ポンプ１６０Ｋが動作するものである。同様の部材には同様の番号に「Ｋ」なる字を添えて示す。ダイアフラム１７０Ｋから延出するレバー１７２Ｋは、短毛用カッター４０Ｋの外刃フォイルを保持すると共にトップフレーム６０Ｋに支持されたカセット４４Ｋに接触維持されていて、図２９（ｂ）に示すように、短毛用カッター４０Ｋが押し下げられたり、或いはトップフレーム６０Ｋが肌に接触して押し下げられた場合に、ポンプが動作してポンプからパイプ１８０Ｋを通して肌上にローションを吐出させる。かみそりユニット３０Ｋが肌から離されると、図２９（ａ）に示す位置に、トップフレーム６０Ｋがばね７１の力によって復帰し、タンクからローションを引き込み、次に行われるかみそりユニット３０Ｋの押し下げ時でのローションの吐出動作に備える。図示の変更例では、一本のパイプ１８０Ｋのみを長毛用カッター５０Ｋと短毛用カッター４０Ｋの一方との間に配置した例を示したが、図２７や図２８に示したように、複数のパイプを使用することも可能である。
【００４５】
第４の実施形態＜図３０＞
図３０は、本発明の第４の実施形態に係る除毛装置を示す。この装置は基本的に第３の実施形態と同様であるが、電動ポンプ１６０Ｌとこれを動作させる電動スイッチ１９０を設けた点が異なる。同様の部材には同様の番号に「Ｌ」なる字を添えて示す。アプリケータ１１０Ｌはかみそりユニット３０Ｌに組み込んだローション吐出パイプにて形作られ、ハウジング１０Ｌの前面に配したタンク１４０Ｌパイプがポンプを介して接続される。ポンプ１６０Ｌとタンク１４０Ｌとはハウジングに着脱自在のローション送出モジュール１００Ｌへ組み込まれる。すなわち、モジュール１００Ｌに設けた覆い体１０１Ｌにてポンプとタンクが保持される。図３０（ｂ）に示されるように、パイプ１１０Ｌはかみそりユニット３０Ｌからモジュール１００Ｌへ延出する柔軟チューブ１３４Ｌに接続され、このチューブ１３４Ｌがポンプ１６０Ｌへ着脱自在に結合される。スイッチ１９０はハウジング１０Ｌに固定される部材に支持され、スイッチノブ１９１によってオン・オフされる。このスイッチノブ１９１は処理ヘッド２０Ｌ上へかみそりユニット３０Ｌと近接して突出し、かみそりユニット３０Ｌが使用者の肌に対して動作関係となったときに、スイッチノブ１９１が使用者の肌に接触して、スイッチ１９０をオンすることで、ポンプ１６０Ｌを動作させ、所定の時間の間、連続的にまたは断続的にローションを吐出させる。この意味において、スイッチノブ１９１は、使用者の肌への接触を感知してポンプを動作させてローションを吐出させるアクチュエータを規定することになる。ポンプ１６０Ｌはモータ１９２で駆動されるダイアフラムポンプであることが望ましく、かみそりユニット３０Ｌの内刃を駆動するためにハウジング１０Ｌに内蔵する電池１６によって駆動される。
【００４６】
スイッチノブを使用する替わりに、肌への接触を検知し、使用者の肌に当然に含まれる所定量の水分を検知した時にポンプを動作させる水分センサー１９４を用いることが可能である。図３１に示すように、水分センサー１９４はトップフレーム６０Ｍ上に突出しリード線１９５にてポンプのモータに接続される。同様の部材には同様の番号に「Ｍ」なる字を添えて示す。
【００４７】
第５の実施形態＜図３２〜３５＞
図３２〜図３５は、本発明の第４の実施形態に係る除毛装置を示す。この装置はアプリケータ１１０Ｎが処理ヘッド２０Ｎを呈するかみそりユニット３０Ｎ内に組み込まれた点において、前述の実施形態と同様であるが、アプリケータ１１０Ｎの構造が異なる。同様の部材には同様の番号に「Ｎ」なる字を添えて示す。アプリケータ１１０Ｎはタンク１４０Ｎからローションが供給されるヘッダー１１１Ｎと、図３３に示すように、ヘッダーからローションを使用者の肌に吐出させるための複数のローション吐出パイプ１８０Ｎとを備える。ヘッダー１１１Ｎはハウジング１０Ｎの上端に装着され、夫々がばね１８１Ｎを備えた垂直ダクト１６６Ｎを有する。各パイプ１８０Ｎは、図３４に示すように、長毛用カッター５０Ｎと短毛用カッター４０Ｎとの間で垂直に延出し、その上端をこれらのカッターの上端に揃えている。各パイプ１８０Ｎの下端は各ダクト１６６Ｎに収められると共にばね１８１Ｎによってフロート支持されていて、長毛用カッターや短毛用カッターと共にパイプが押し下げ可能となっている。ヘッダー１１１Ｎは取り入れ口１１７がタンク１４０Ｎへ柔軟チューブ１３４Ｎで連結されると共に、ストップ弁１２８Ｎが備えられる。このストップ弁１２８Ｎはばね１８４にて付勢されて、タンクからヘッダーへの流路を通常閉じている。ストップ弁１２８Ｎの上端は上方へ突出して、短毛用カッター４０Ｎの外刃フォイルを保持するカセット４４Ｎに当接可能となっている。短毛用カッター４０Ｎが肌に押し当てられた結果押し下げられると、図３２（ｂ）に示すように、カセット４４Ｎがストップ弁１２８Ｎをばね１８４に抗して押し下げて流路を開き、タンク１４０Ｎからヘッダー１１１Ｎへローションを供給し、これに伴ってローションをパイプ１８０Ｎから肌へ送り出す。短毛用カッター４０Ｎ、すなわち、かみそりユニット３０Ｎが肌から離されると、図３２Ａに示すように、ストップ弁１２８Ｎが復帰して流路を閉じることで、タンクからヘッダーへのローションの供給、すなわち、アプリケータからのローションの送り出しを停止する。
【００４８】
図３５に示すように、タンク１４０Ｎはハウジング１０Ｎに着脱自在の覆い体１０１Ｎに保持され、加圧器１５０Ｎによって圧縮されることでタンクからヘッダーへローションを供給するための正圧を与える。加圧器１５０Ｎはばね１５４Ｎによってばね付勢され、図３５（ｂ）に示すように、タンクがほぼ空になった時でもタンクからローションを絞り出すようになっている。タンク１４０Ｎの口１４１Ｎはヘッダー１１１Ｎから延出する柔軟チューブ１３４Ｎへ着脱自在である。
【００４９】
図３６に示すように、アプリケータ１１０Ｎにはバー１８６を設けても良い。このバー１８６は、パイプ１８０Ｎを保持すると共にトップフレーム６０Ｎにフロート支持されて短毛用カッター４０Ｎや長毛用カッター５０Ｎと共に押し下げ可能である。このため、バー１８６には各パイプ１８０Ｎの上端が着脱自在に収められる穴１８８が形成される。この変更例においては、ストップ弁１２８Ｎは、短毛用カッター４０Ｎの外刃フォイルを保持するカセットではなくて、バー１８６の下端へ当接可能となる。これにより、バー１８６がアクチュエータの機能を果たし、かみそりユニットが押し下げられたことを認識してストップ弁１２８Ｎを動作させてタンクからアプリケータのヘッダーへローションを供給する。
【００５０】
図３７はアプリケータ１１０Ｐの他の変更例を示すもので、アプリケータ１１０Ｐにパイプ１８０Ｐを保持する同様のバー１８６Ｐが備えられ、このバー１８６Ｐはパイプ１８０Ｐと共に押し下げ可能となっている。他の構成は第５の実施形態と同様であり、同様の部材には同様の番号に「Ｐ」なる字を添えて示す。
【００５１】
アプリケータへローションを供給するための加圧器を使用する代わりに、第４の実施形態において説明したダイアフラムポンプを用いることも可能である。このような変更例においては、ダイアフラムポンプがストップ弁１２８Ｐに連動し、かみそりユニットが使用者の肌に押し付けられる事によってストップ弁が開かれる毎に、ダイアフラムポンプが動作される。
【００５２】
本発明は、上述の実施形態やその変更例について解釈されるだけでなく、ここで示される特徴のいかなる組み合わせに基づいて解釈されるべきである。
【００５３】
【発明の効果】
以上述べたように、本発明の除毛装置では、処理ヘッドに毛の切断や脱毛を行う除毛ユニットと、ローションを使用者の肌に施すアプリケータとが備えられ、アプリケータへはローション供給機構によってタンクから供給され、この処理ヘッドに設けたアクチュエータによって、処理ヘッドが肌に対して動作状態となる事象を認識し、この事象が認識された時にローション供給機構を動作させてローションをタンクからアプリケータへ供給するものであるため、使用者が余分なそして面倒なスイッチング操作を行わずとも、除毛が行われる肌に対してアプリケータによってローションを施すことが出来る。すなわち、使用者はローションの補助を受けた除毛処理を、スイッチやハンドル操作に煩わされずに、楽しむことができるという利点がある。
【図面の簡単な説明】
【図１】本発明の第１の実施形態に係るかみそりをこれが備えるアプリケータが突出位置の時の一部断面側面図ある。
【図２】同上のアプリケータが後退位置の時のかみそりを示す一部断面側面図である。
【図３】同上のかみそりに使用されるローション供給モジュールの分解斜視図である。
【図４】同上のモジュールの斜視図である。
【図５】同上のモジュールを取り付けたかみそりを示す正面図である。
【図６】（ａ）（ｂ）は同上のモジュールの開閉を示す断面図である。
【図７】（ａ）は同上のアプリケータが非押し下げ状態の時の正面断面図、（ｂ）は側面図である。
【図８】（ａ）は同上のアプリケータが押し下げ状態の時の正面断面図、（ｂ）は側面図である。
【図９】（ａ）は変更例に係るアプリケータが非押し下げ状態の時の正面断面図、（ｂ）は側断面図である。
【図１０】（ａ）は同上の変更例に係るアプリケータが押し下げ状態の時の正面断面図、（ｂ）は側断面図である。
【図１１】同上の実施例の一変更例に係るアプリケータの正面断面図である。
【図１２】（ａ）は同上の実施例の一変更例に係るアプリケータの正面断面図、（ｂ）は側断面図である。
【図１３】（ａ）は同上の実施例の他の変更例に係るアプリケータの正面断面図、（ｂ）は側断面図である。
【図１４】同上の実施例の更に他の変更例に係るかみそりの一部断面側面図であり、アプリケータが突出位置にある状態を示す。
【図１５】同上の変更例に係るかみそりの一部断面側面図であり、アプリケータが後退位置にある状態を示す。
【図１６】図１４に示すかみそりの正面図である。
【図１７】同上の実施例の更に他の変更例に係るかみそりの一部断面側面図であり、アプリケータが突出位置にある状態を示す。
【図１８】同上の変更例に係るかみそりの一部断面側面図であり、アプリケータが後退位置にある状態を示す。
【図１９】同上の実施例の更に他の変更例に係る脱毛装置の一部断面側面図であり、アプリケータが突出位置にある状態を示す。
【図２０】同上の変更例に係る脱毛装置一部断面側面図であり、アプリケータが後退位置にある状態を示す。
【図２１】（ａ）は本発明の第２の実施形態に係るかみそりに使用されるアプリケータの非押し下げ状態を示す正面断面図、（ｂ）はアプリケータの押し下げ状態を示す正面断面図である。
【図２２】（ａ）は本発明の第２の実施形態の一変更例にアプリケータの押し下げ状態を示す正面断面図、（ｂ）はアプリケータの非押し下げ状態を示す正面断面図である。
【図２３】（ａ）は本発明の第３の実施形態に係るかみそりに使用されるアプリケータの非押し下げ状態を示す正面断面図、（ｂ）はアプリケータの押し下げ状態を示す正面断面図である。
【図２４】同上のかみそりの側面断面図である。
【図２５】同上のかみそりの上面図である。
【図２６】（ａ）は本発明の第３の実施形態の一変更例に係るかみそりにおけるアプリケータの非押し下げ状態を示す正面断面図、（ｂ）はアプリケータの押し下げ状態を示す正面断面図である。
【図２７】同上のかみそりの上面図である。
【図２８】同上の他の変更例に係るかみそりの上面図である。
【図２９】（ａ）は本発明の第３の実施形態の更に他の変更例に係るかみそりにおけるアプリケータの非押し下げ状態を示す正面断面図、（ｂ）はアプリケータの押し下げ状態を示す正面断面図、（ｃ）は上面図である。
【図３０】（ａ）は本発明の第４の実施形態に係るかみそりを示す正面断面図、（ｂ）は側面断面図である。
【図３１】同上の第４の実施形態の一変更例を示す正面断面図である。
【図３２】（ａ）は本発明の第５の実施形態の係るかみそりにおけるアプリケータの非押し下げ状態を示す正面断面図、（ｂ）はアプリケータの押し下げ状態を示す正面断面図である。
【図３３】同上のかみそりにおいて除毛ヘッドを除いた状態を示す斜視図である。
【図３４】同上のかみそりの上面図である。
【図３５】（ａ）は同上のかみそりにおけるタンクがローションで満たされている状態を示す側面断面図、（ｂ）タンク内のローションが少なくなった状態を示す側面断面図である。
【図３６】同上の第５の実施形態かみそりの一変更例を示す分解斜視図である。
【図３７】同上の第５の実施形態かみそりの他の変更例を示す斜視図である。
【符号の説明】
１０  ハウジング
２０  処理ヘッド
３０  除毛ユニット
１１０  アプリケータ
１４０  タンク
【図１】
0004151292.tif 000002
【図２】
0004151292.tif 000003
【図３】
0004151292.tif 000004
【図４】
0004151292.tif 000005
【図５】
0004151292.tif 000006
【図６】
0004151292.tif 000007
【図７】
0004151292.tif 000008
【図８】
0004151292.tif 000009
【図９】
0004151292.tif 000010
【図１０】
0004151292.tif 000011
【図１１】
0004151292.tif 000012
【図１２】
0004151292.tif 000013
【図１３】
0004151292.tif 000014
【図１４】
0004151292.tif 000015
【図１５】
0004151292.tif 000016
【図１６】
0004151292.tif 000017
【図１７】
0004151292.tif 000018
【図１８】
0004151292.tif 000019
【図１９】
0004151292.tif 000020
【図２０】
0004151292.tif 000021
【図２１】
0004151292.tif 000022
【図２２】
0004151292.tif 000023
【図２３】
0004151292.tif 000024
【図２４】
0004151292.tif 000025
【図２５】
0004151292.tif 000026
【図２６】
0004151292.tif 000027
【図２７】
0004151292.tif 000028
【図２８】
0004151292.tif 000029
【図２９】
0004151292.tif 000030
【図３０】
0004151292.tif 000031
【図３１】
0004151292.tif 000032
【図３２】
0004151292.tif 000033
【図３３】
0004151292.tif 000034
【図３４】
0004151292.tif 000035
【図３５】
0004151292.tif 000036
【図３６】
0004151292.tif 000037
【図３７】
0004151292.tif 000038